(57)【要約】【課題】底部開口からの異物の侵入や端子板の変形や破損を防止しつつ、保管コストや輸送コストの低減を図ることができる端子ボックスを提供する。【解決手段】底壁３および底壁３から立設された囲壁６を有するボックス本体１と、底壁３および囲壁６で形成された収容空間５に配置された端子板４と、収容空間５において囲壁６の上端縁で囲まれた開口部９を覆う第１姿勢でボックス本体１に対して係合される蓋体２とを備え、ボックス本体１は、底壁３に形成され、収容空間５に連通する底部開口３ａを有し、蓋体２は、底部開口３ａを底壁３の外面側から覆う第２姿勢でボックス本体１に対して係脱自在に係合可能な係合部１２を有する。【選択図】図７
2016013013.tif 000002
【特許請求の範囲】
【請求項１】
底壁および前記底壁から立設された囲壁を有するボックス本体と、
前記底壁および前記囲壁で形成された収容空間に配置された端子板と、
前記収容空間において前記囲壁の上端縁で囲まれた開口部を覆う第１姿勢で前記ボックス本体に対して係合される蓋体とを備え、
前記ボックス本体は、前記底壁に形成され、前記収容空間に連通する底部開口を有し、
前記蓋体は、前記底部開口を前記底壁の外面側から覆う第２姿勢で前記ボックス本体に対して係脱自在に係合可能な係合部を有する太陽電池モジュール用端子ボックス。
【請求項２】
前記収容空間に収容された前記端子板が前記底部開口から外方に突出する突出部を有し、
前記係合部は、前記第２姿勢において前記蓋体で前記突出部を覆う請求項１記載の太陽電池モジュール用端子ボックス。
【請求項３】
前記係合部は、前記第１姿勢で前記蓋体を前記ボックス本体に対して係合するためにも使用される請求項１又は２記載の太陽電池モジュール用端子ボックス。
【請求項４】
前記ボックス本体は、前記係合部が係合側への移動に伴う弾性変位で乗り越えることにより前記蓋体を前記第１姿勢又は前記第２姿勢で係合可能な共通の被係合部を有する請求項３記載の太陽電池モジュール用端子ボックス。
【請求項５】
前記第２姿勢で前記蓋体を係合している前記係合部の係合解除側への移動抵抗を、前記第１姿勢で前記蓋体を係合している前記係合部の係合解除側への移動抵抗よりも小さくなるように前記被係合部の形状を設定してある請求項４記載の太陽電池モジュール用端子ボックス。
【発明の詳細な説明】
【技術分野】
【０００１】
本発明は、太陽電池モジュール用端子ボックスに関する。
【背景技術】
【０００２】
太陽電池モジュール用端子ボックスは、通常、底壁および前記底壁から立設された囲壁を有するボックス本体と、前記底壁および前記囲壁で形成された収容空間に配置された端子板と、前記収容空間において前記囲壁の上端縁で囲まれた開口部を覆う姿勢で前記ボックス本体に対して係合される蓋体とを備えている。
【０００３】
ボックス本体は、収容空間に収容された端子板と太陽電池モジュールの電極とを電気的に接続するために、端子板の収容空間に連通する底部開口を底壁に形成してある。
特許文献１には、収容空間に収容された端子板が底部開口から外方に突出する突出部を有する端子ボックスが記載されている。
【先行技術文献】
【特許文献】
【０００４】
【特許文献１】特開２０１３−１２８０６１号公報
【発明の概要】
【発明が解決しようとする課題】
【０００５】
端子ボックスの底壁に形成してある底部開口は、底壁部分を太陽電池モジュールに取り付けることによって最終的に塞がれるが、太陽電池モジュールに取り付けられるまでの端子ボックスの保管や輸送時に底部開口から収容空間に異物が侵入するおそれがある。
また、端子板が底部開口から外方に突出する突出部を有する場合は、保管や輸送時における突出部の他物との当接により、端子板が変形したり破損するおそれがある。
【０００６】
従来の端子ボックスでは、保管や輸送時における底部開口からの異物の侵入や端子板の変形や破損を防止するために、底部開口を覆う保護カバーなどを別途製作して着脱自在に取り付けている。
このため、端子ボックスの保管コストや輸送コストが高くなる問題がある。
本発明は上記実情に鑑みてなされたものであって、底部開口からの異物の侵入や端子板の変形や破損を防止しつつ、保管コストや輸送コストの低減を図ることができる端子ボックスを提供することを目的とする。
【課題を解決するための手段】
【０００７】
本発明による太陽電池モジュール用端子ボックスの特徴構成は、底壁および前記底壁から立設された囲壁を有するボックス本体と、前記底壁および前記囲壁で形成された収容空間に配置された端子板と、前記収容空間において前記囲壁の上端縁で囲まれた開口部を覆う第１姿勢で前記ボックス本体に対して係合される蓋体とを備え、前記ボックス本体は、前記底壁に形成され、前記収容空間に連通する底部開口を有し、前記蓋体は、前記底部開口を前記底壁の外面側から覆う第２姿勢で前記ボックス本体に対して係脱自在に係合可能な係合部を有する点にある。
【０００８】
本発明の端子ボックスは、太陽電池モジュールへの取り付け時に収容空間の開口部を覆う蓋体が、底部開口を底壁の外面側から覆う第２姿勢でボックス本体に対して係脱自在に係合可能な係合部を有する。
これにより、保管や輸送時において底部開口を覆う必要がある場合は、保護カバーなどを別途製作して取り付けることなく、収容空間の開口部を覆うための蓋体を利用して覆うことができる。
したがって、本構成の端子ボックスであれば、保管コストや輸送コストの低減を図ることができる。
【０００９】
本発明の他の特徴構成は、前記収容空間に収容された前記端子板が前記底部開口から外方に突出する突出部を有し、前記係合部は、前記第２姿勢において前記蓋体で前記突出部を覆う点にある。
【００１０】
本構成であれば、端子板の底部開口から外方に突出している突出部の他物との当接を、第２姿勢で係合された蓋体で防止できる。
したがって、底部開口から突出する突出部を有する端子板の変形や破損を、底部開口を突出部と共に覆う保護カバーなどを別途製作して取り付けることなく防止しつつ、保管コストや輸送コストの低減を図ることができる。
【００１１】
本発明の他の特徴構成は、前記係合部は、前記第１姿勢で前記蓋体を前記ボックス本体に対して係合するためにも使用される点にある。
【００１２】
本構成であれば、蓋体を第１姿勢で係合する係合部と、第２姿勢で係合する係合部とを各別に設ける場合に比べて、係合構造の簡略化を図ることができる。
【００１３】
本発明の他の特徴構成は、前記ボックス本体は、前記係合部が係合側への移動に伴う弾性変位で乗り越えることにより前記蓋体を前記第１姿勢又は前記第２姿勢で係合可能な共通の被係合部を有する点にある。
【００１４】
本構成であれば、蓋体が第１姿勢で係合するように係合部が係合する被係合部と、第２姿勢で係合するように係合部が係合する被係合部とを各別に設けることなく、蓋体を第１姿勢又は第２姿勢でボックス本体に対して係合することができ、係合構造の一層の簡略化を図ることができる。
【００１５】
本発明の他の特徴構成は、前記第２姿勢で前記蓋体を係合している前記係合部の係合解除側への移動抵抗を、前記第１姿勢で前記蓋体を係合している前記係合部の係合解除側への移動抵抗よりも小さくなるように前記被係合部の形状を設定してある点にある。
【００１６】
本構成であれば、保管や輸送時において第２姿勢でボックス本体に係合している蓋体を、太陽電池モジュールへの取り付け時に係合部から外し易い。
このため、蓋体を第１姿勢で係合するように容易に付け替えることができ、太陽電池モジュールへの取り付け作業の能率向上を図ることができる。
【図面の簡単な説明】
【００１７】
【図１】蓋体を第１姿勢でボックス本体に係合してある端子ボックスの斜視図である。
【図２】蓋体を第１姿勢でボックス本体に係合してある端子ボックスの側面図である。
【図３】端子ボックスの内部を示す分解斜視図である。
【図４】図２におけるIV−IV線矢視断面図である。
【図５】端子ボックスの底壁側を示す分解斜視図である。
【図６】蓋体を第２姿勢でボックス本体に係合してある端子ボックスの側面図である。
【図７】図６におけるVII−VII線矢視断面図である。
【発明を実施するための形態】
【００１８】
以下に本発明の実施の形態を図面に基づいて説明する。
図１〜図７は、本実施形態による太陽電池モジュール用端子ボックスを示す。
端子ボックスＡは、図１〜図４に示すように、樹脂製ボックス本体１と樹脂製蓋体２と金属製端子板４とを備えている。
図１，図３において、ボックス本体１の長手方向（後述する筒状部７の筒軸芯方向）に沿うＸ方向と、Ｘ方向に直交し、かつ、後述する底壁３の壁面に垂直なＹ方向と、Ｘ方向およびＹ方向に直交するＺ方向とを示す。
【００１９】
ボックス本体１は、太陽電池モジュールの裏面（図示せず）に接着固定される底壁３と、端子板４の収容空間５を囲むＹ方向視で略矩形の囲壁６と、外部接続用ケーブルＢをＸ方向に挿通する筒状部７と、筒状部７を筒周方向に沿って囲むように底壁３に間隔を隔てて立設した複数の補強リブ８とを一体に有する。
【００２０】
囲壁６は底壁３からＹ方向に立設してあり、囲壁６の上端縁で囲まれた内側が収容空間５の囲壁６で囲まれた開口部９に相当する。囲壁６の内側には、Ｚ方向で互いに対向する一対の内壁６ａを底壁３から立設してある。
【００２１】
筒状部７はその内部空間が収容空間５に連通するように設けてあり、該内部空間に外部接続用ケーブルＢを挿通してその芯線Ｂ１を収容空間５に導入する。
収容空間５に収容された端子板４は底壁３に係止固定され、外部接続用ケーブルＢの芯線Ｂ１にカシメにより電気的に接続される接続片４ａと、太陽電池モジュールから延出されたリード線（図示せず）にハンダなどで電気的に接続される端子片４ｂとを有する。
【００２２】
底壁３のうちの一対の内壁６ａの間に臨む部分に、収容空間５に底部から連通する底部開口３ａを貫通形成してある。
端子板４は端子片４ｂが底部開口３ａから外方に突出するように収容空間５に収容され、この端子片４ｂが突出部に相当する。
【００２３】
蓋体２は囲壁６の外周側を囲む周壁１０を備えたＹ方向視で略矩形の箱状に形成され、図１，図２，図４に示すように開口部９を覆う第１姿勢でボックス本体１に対して係合される。
このために、周壁１０は、第１姿勢において筒状部７が入り込む切欠１０ａとボックス本体１に形成した左右一対の被係合部１１に対して係合するスナップフィット式の一対の係合部１２を有する。
係合部１２と被係合部１１は、周壁１０をＺ方向から挟む位置の夫々において、Ｙ方向で互いに係合するように配置してある。
【００２４】
各係合部１２は、周壁１０の端縁から周壁外面と面一に延設した側面視で略矩形の係合板１２ａと、係合板１２ａの先端縁に沿って蓋体２の内側に向けて突設した係合爪１２ｂとを有する。
各被係合部１１は、底壁３の側縁部に平面視で「コ」の字状の切欠部１１ａを形成し、その切欠部１１ａの奥側に切欠部１１ａの入口側に向けて突出する突条部１１ｂを設けて構成してある。
係合部１２と被係合部１１は、開口部９の側からの係合部１２の被係合部１１に対する係合側への移動に伴う係合板１２ａの弾性変位で突条部１１ｂを乗り越えることにより、蓋体２をボックス本体１に対して第１姿勢で係合する。
【００２５】
各係合部１２は、蓋体２の内面側を図５に示すように底壁３の底面側に向けて、図６，図７に示すように底部開口３ａを端子片４ｂと共に底壁３の外面側から覆う第２姿勢で蓋体２をボックス本体１に対して係脱自在に係合可能に設けてある。
これにより、底部開口３ａから突出している端子片４ｂを、端子ボックスＡの保管や輸送時における他物との当接から保護して、端子板４の変形や破損を防止できる。
【００２６】
係合部１２と被係合部１１は、底壁３の外面側からの係合部１２の被係合部１１に対する係合側への移動に伴う係合板１２ａの弾性変位で突条部１１ｂを乗り越えることにより、蓋体２をボックス本体１に対して第２姿勢で係合する。
【００２７】
したがって、ボックス本体１は、係合部１２が係合側への移動に伴う弾性変位で突条部１１ｂを乗り越えることにより蓋体２を第１姿勢又は第２姿勢で係合可能な共通の被係合部１１を有する。また、第２姿勢で蓋体２をボックス本体１に対して係合する係合部１２は、第１姿勢で蓋体２をボックス本体１に対して係合するためにも使用される。
【００２８】
本実施形態においては、係合部１２の係合解除側への移動抵抗を、第２姿勢で蓋体２を係合している係合部１２の係合解除側への移動抵抗が、第１姿勢で蓋体２を係合している係合部１２の係合解除側への移動抵抗よりも小さくなるように突条部１１ｂの形状を設定してある。
このために、被係合部１１は、図４に示すように蓋体２が第１姿勢で係合した状態で係合爪１２ｂが当接する突条部１１ｂの部位１３の形状を直角形状に形成し、図７に示すように蓋体２が第２姿勢で係合した状態で係合爪１２ｂが当接する突条部１１ｂの部位１４の形状を円弧形状に形成してある。
【００２９】
これにより、図７に示すように第２姿勢で蓋体２を係合している係合部１２の係合解除側への移動時において、係合爪１２ｂを突条部１１ｂの円弧形状に形成した部位１４に沿って摺接させて、図４に示すように第１姿勢で蓋体２を係合している係合部１２の係合解除側への移動時よりも小さな移動抵抗で移動させることができる。
【００３０】
〔その他の実施形態〕
１．本実施形態による太陽電池モジュール用端子ボックスは、底部開口から外方に突出する突出部を有しない端子板を収容空間に収容したものであってもよい。
２．本実施形態による太陽電池モジュール用端子ボックスは、蓋体を第１姿勢で係合する係合部と、第２姿勢で係合する係合部とを各別に有するものであってもよい。
３．本実施形態による太陽電池モジュール用端子ボックスは、蓋体が第１姿勢で係合するように係合部が係合する被係合部と、第２姿勢で係合するように係合部が係合する被係合部とを各別に有するものであってもよい。
【産業上の利用可能性】
【００３１】
本発明は、太陽電池モジュール用端子ボックスに利用することができる。
【符号の説明】
【００３２】
１  ボックス本体
２  蓋体
３  底壁
３ａ  底部開口
４  端子板
４ｂ  突出部
５  収容空間
６  囲壁
９  開口部
１１  被係合部
１２  係合部
【図１】
2016013013.tif 000003
【図２】
2016013013.tif 000004
【図３】
2016013013.tif 000005
【図４】
2016013013.tif 000006
【図５】
2016013013.tif 000007
【図６】
2016013013.tif 000008
【図７】
2016013013.tif 000009